(57)【要約】【課題】使用される伝送路の本数が変化する場合にも、特定の信号発振器が集中的に使用されることによる経年劣化を抑制することが可能な技術が提供されることが望まれる。【解決手段】  送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、前記伝送対象信号が前記送信伝送路を介して送信されるように前記送信伝送路に接続された前記送信部を制御する送信制御部と、を備える、送信制御装置が提供される。【選択図】図１
2017094315.tif 000002
【特許請求の範囲】
【請求項１】
送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、
前記伝送対象信号が前記送信伝送路を介して送信されるように前記送信伝送路に接続された前記送信部を制御する送信制御部と、
を備える、送信制御装置。
【請求項２】
前記送信制御部は、前記複数の伝送路のうち前記送信伝送路に接続された前記送信部を起動し、前記送信伝送路とは異なる伝送路に接続された前記送信部を停止したままにする、
請求項１に記載の送信制御装置。
【請求項３】
前記送信制御装置は、
前記伝送対象信号それぞれを別個に含む１または複数のフレームを生成するフレーム生成部を備える、
請求項１に記載の送信制御装置。
【請求項４】
前記送信制御装置は、
前記送信伝送路の本数に基づいて、前記送信データから前記１または複数の伝送対象信号を得る分割部を備える、
請求項１に記載の送信制御装置。
【請求項５】
前記分割部は、前記伝送対象信号それぞれを異なる前記送信伝送路に繋がるレーンに対して出力する、
請求項４に記載の送信制御装置。
【請求項６】
前記分割部は、前記送信データの伝送レートと前記複数の伝送路の一本あたりの伝送容量とに基づいて、前記送信伝送路の本数を算出する、
請求項４に記載の送信制御装置。
【請求項７】
前記伝送路決定部は、前記送信データが送信対象として決定された場合に、前記複数の伝送路から前記送信伝送路を決定する、
請求項１に記載の送信制御装置。
【請求項８】
前記伝送路決定部は、前記送信伝送路の本数が変化した場合に、前記複数の伝送路から前記送信伝送路を決定する、
請求項１に記載の送信制御装置。
【請求項９】
前記送信制御装置は、
前記伝送対象信号の受信器に対して前記送信伝送路の識別情報を送信する情報送信部を備える、
請求項１に記載の送信制御装置。
【請求項１０】
前記伝送路決定部は、前記送信伝送路の本数と前記複数の伝送路それぞれに接続された前記送信部がデータ送信に要した累積時間とに基づいて、前記複数の伝送路から前記送信伝送路を決定する、
請求項１に記載の送信制御装置。
【請求項１１】
前記伝送路決定部は、前記複数の伝送路から前記送信部の前記累積時間が短い順に前記送信伝送路の本数だけ選択された１または複数の伝送路を前記送信伝送路として決定する、
請求項１０に記載の送信制御装置。
【請求項１２】
前記送信制御装置は、
前記累積時間を前記送信部ごとに記憶するメモリを備える、
請求項１０に記載の送信制御装置。
【請求項１３】
前記送信制御装置は、
前記累積時間を測定して前記メモリに前記累積時間を記録する累積時間カウンタを備える、
請求項１２に記載の送信制御装置。
【請求項１４】
前記伝送路決定部は、前記送信伝送路の本数分だけ発生された乱数に基づいて、前記複数の伝送路から前記送信伝送路を決定する、
請求項１に記載の送信制御装置。
【請求項１５】
送信データから得られる１または複数の伝送対象信号をそれぞれ伝送する送信伝送路の本数と所定の情報とに基づいて、それぞれが異なる送信部に接続された複数の伝送路から前記送信伝送路を決定することと、
前記伝送対象信号が前記送信伝送路を介して送信されるように前記送信伝送路に接続された前記送信部を制御することと、
を含む、送信制御方法。
【請求項１６】
送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得する信号取得部と、
前記伝送対象信号に基づいて前記送信データを復元する合成部と、
を備える、信号合成装置。
【請求項１７】
前記信号合成装置は、
前記伝送対象信号の送信器から前記送信伝送路の識別情報を受信する情報受信部と、
前記複数の伝送路のうち前記識別情報によって識別される前記送信伝送路に接続された受信部を起動し、前記送信伝送路とは異なる伝送路に接続された受信部を停止したままにする受信制御部と、
を備える、請求項１６に記載の信号合成装置。
【請求項１８】
送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得することと、
前記伝送対象信号を合成することにより前記送信データを復元することと、
を含む、信号合成方法。
【請求項１９】
送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、
前記伝送対象信号が前記送信伝送路を介して送信されるように前記送信伝送路に接続された前記送信部を制御する送信制御部と、
を備える、送信制御装置と、
前記伝送対象信号が受信されると、前記伝送対象信号を取得する信号取得部と、
前記伝送対象信号を合成することにより前記送信データを復元する合成部と、
を備える、信号合成装置と、
を有する、信号伝送システム。
【請求項２０】
送信データから得られる１または複数の伝送対象信号をそれぞれ伝送する送信伝送路の本数と所定の情報とに基づいて、それぞれが異なる送信部に接続された複数の伝送路から前記送信伝送路を決定することと、
前記伝送対象信号が前記送信伝送路を介して送信されるように前記送信伝送路に接続された前記送信部を制御することと、
前記伝送対象信号が受信されると、前記伝送対象信号を取得することと、
前記伝送対象信号を合成することにより前記送信データを復元することと、
を含む、信号伝送方法。
【発明の詳細な説明】
【技術分野】
【０００１】
本開示は、送信制御装置、送信制御方法、信号合成装置、信号合成方法、信号伝送システムおよび信号伝送方法に関する。
【背景技術】
【０００２】
送信器に用いられる信号発振器は、一般的にデータ送信に要した累積時間が長くなればなるほど経年劣化を生じ、やがて所望の強度で信号を送り出せなくなり、寿命を迎えることになる。そこで、このような経年劣化を抑制するために、複数の信号発振器の動作電流を監視し、監視結果に基づいて複数の信号発振器の稼働を平均化することによって特定の信号発振器が集中的に使用されることによる経年劣化を抑制することが開示されている（例えば、特許文献１参照。）。
【先行技術文献】
【特許文献】
【０００３】
【特許文献１】特開２０１５−１８９８１号公報
【発明の概要】
【発明が解決しようとする課題】
【０００４】
しかし、複数の信号発振器が常に動作するとは限らない。例えば、伝送すべき情報に依存して使用される伝送路の本数が変化する場合も想定される。そこで、使用される伝送路の本数が変化する場合にも、特定の信号発振器が集中的に使用されることによる経年劣化を抑制することが可能な技術が提供されることが望まれる。
【課題を解決するための手段】
【０００５】
本開示によれば、送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、前記伝送対象信号が前記送信伝送路を介して送信されるように前記送信伝送路に接続された前記送信部を制御する送信制御部と、を備える、送信制御装置が提供される。【０００６】
本開示によれば、送信データから得られる１または複数の伝送対象信号をそれぞれ伝送する送信伝送路の本数と所定の情報とに基づいて、それぞれが異なる送信部に接続された複数の伝送路から前記送信伝送路を決定することと、前記伝送対象信号が前記送信伝送路を介して送信されるように前記送信伝送路に接続された前記送信部を制御することと、を含む、送信制御方法が提供される。【０００７】
本開示によれば、送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得する信号取得部と、前記伝送対象信号に基づいて前記送信データを復元する合成部と、を備える、信号合成装置が提供される。【０００８】
本開示によれば、送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得することと、前記伝送対象信号を合成することにより前記送信データを復元することと、を含む、信号合成方法が提供される。【０００９】
本開示によれば、送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、前記伝送対象信号が前記送信伝送路を介して送信されるように前記送信伝送路に接続された前記送信部を制御する送信制御部と、を備える、送信制御装置と、前記伝送対象信号が受信されると、前記伝送対象信号を取得する信号取得部と、前記伝送対象信号を合成することにより前記送信データを復元する合成部と、を備える、信号合成装置と、を有する、信号伝送システムが提供される。【００１０】
本開示によれば、送信データから得られる１または複数の伝送対象信号をそれぞれ伝送する送信伝送路の本数と所定の情報とに基づいて、それぞれが異なる送信部に接続された複数の伝送路から前記送信伝送路を決定することと、前記伝送対象信号が前記送信伝送路を介して送信されるように前記送信伝送路に接続された前記送信部を制御することと、前記伝送対象信号が受信されると、前記伝送対象信号を取得することと、前記伝送対象信号を合成することにより前記送信データを復元することと、を含む、信号伝送方法が提供される。
【発明の効果】
【００１１】
以上説明したように本開示によれば、使用される伝送路の本数が変化する場合にも、特定の信号発振器が集中的に使用されることによる経年劣化を抑制することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】第１の実施形態に係る画像伝送システムの構成の一例を示す図である。
【図２】フレーム送信部の詳細構成の一例を示す図である。
【図３】フレーム生成部によって生成されるフレームの構成例を示す図である。
【図４】フレーム受信部の詳細構成の一例を示す図である。
【図５】１つ目の映像信号の例を示す図である。
【図６】２つ目の映像信号の例を示す図である。
【図７】映像信号が４つに分割された得られた伝送対象信号の例を示す図である。
【図８】レーザ（ＬＤ）ごとの累積発光時間の変化例を示す図である。
【図９】第１の実施形態に係る送信器の動作例を示すフローチャートである。
【図１０】第２の実施形態に係る画像伝送システムの構成の一例を示す図である。
【図１１】第２の実施形態に係る送信器の動作例を示すフローチャートである。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１５】
なお、説明は以下の順序で行うものとする。
０．背景
１．第１の実施形態
１．１．送信器の構成
１．２．受信器の構成
２．第２の実施形態
２．１．送信器の構成
３．むすび
【００１６】
（０．背景）
まず、本実施形態の背景について説明する。近年、現在までに普及してきた２Ｋ映像信号を超える超高精細映像信号（例えば、４Ｋ映像信号など）が機器間において伝送されたり、高精細映像信号を機器において表示されたりすることが多くなってきている。また、機器間において超高精細映像信号（例えば、８Ｋ映像信号）が伝送されたり、機器において超高精細映像信号が表示されたりすることも多くなると予想されている。このような超高精細映像信号は、その伝送帯域が非常に広いことが特徴である。
【００１７】
例えば、一般的なＣＥＡ（Ｃｏｎｓｕｍｅｒ  Ｅｌｅｃｔｒｏｎｉｃｓ  Ａｓｓｏｃｉａｔｉｏｎ）の４Ｋ映像信号（例えば、有効画素が３８４０×２１６０、カラーフォーマットがＲＧＢ、深度が１２ビット、フレームレートが６０Ｈｚ）の場合、総伝送帯域は、およそ２１Ｇｂｐｓである。一方、今後普及が予想される８Ｋ映像信号（例えば、有効画素が７６８０×４３２０、カラーフォーマットがＲＧＢ、深度が１２ビット、フレームレートが１２０Ｈｚ）の場合、総伝送帯域は、およそ１７１Ｇｂｐｓである。
【００１８】
一方、このような広帯域の超高精細映像信号を伝送するためには、広帯域の信号を伝送可能な機器が必要となる。例えば、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）で規格化された超高精細度テレビジョン信号スタジオ機器間インタフェース規格（ＡＲＩＢ  ＳＴＤ−Ｂ５８）が存在する。この規格では、１本あたりの伝送容量が１０．６９２Ｇｐｂｓである光ファイバ２４本それぞれを伝送路として用いて、８Ｋ映像信号を伝送することが定められている。今後民生用に超高精細映像信号を伝送する機器が開発されることが予想されるが、このときにも、ＳＴＤ−Ｂ５８に規定されているように複数の光ファイバを用いた伝送を行う機器が開発されると予想される。
【００１９】
一般的に、光ファイバを用いた伝送が行われる場合、送信器は、半導体レーザ発振器によって発せられたレーザ光を伝送すべき情報（送信データ）に基づいて変調することによって伝送対象信号を得て、光ファイバを介して受信器に伝送対象信号を伝送する。一方、受信器は、フォトディテクタによりレーザ光を受光することによって伝送対象信号を受信し、伝送対象信号を復調することによって伝送すべき情報を取り出す。このような手順によって光ファイバを用いた伝送が行われる。
【００２０】
ここで、送信器に用いられる半導体レーザ発振器は、一般的に累積発光時間が長くなればなるほど経年劣化を生じ、やがて所望の光量で発光できなくなり、寿命を迎えることになる。そこで、このような経年劣化を抑制するために、複数のレーザ発振器の動作電流を監視し、監視結果に基づいて複数のレーザ発振器の稼働を平均化することによって特定の半導体レーザ発振器の経年劣化を抑制することが開示されている（例えば、特開２０１５−１８９８１号公報参照。）。
【００２１】
しかし、複数の半導体レーザ発振器が常に動作するとは限らない。例えば、伝送すべき情報に依存して使用される伝送路の本数が変化する場合も想定される。そこで、本明細書では、使用される伝送路の本数が変化する場合にも、特定の半導体レーザ発振器が集中的に使用されることによる経年劣化を抑制することが可能な技術を主に提案する。なお、本明細書においては、送信データとして映像信号が扱われる例について主に説明するが、送信データとして音声信号およびその他の種類の信号も映像信号と同様に扱われ得る。また、後に説明するように、送信データは、光信号ではなく、電気信号といった他の信号であってもよい。
【００２２】
以上、本実施形態の背景について説明した。
【００２３】
（１．第１の実施形態）
続いて、図１を参照しながら、第１の実施形態に係る画像伝送システムの構成例について説明する。図１は、第１の実施形態に係る画像伝送システムの構成の一例を示す図である。図１に示すように、画像伝送システム１Ａは、送信器１０Ａと受信器２０とを有する。また、送信器１０Ａと受信器２０とは、ケーブル３０を介して接続されている。第１の実施形態では、ケーブル３０に伝送路３０３−１〜３０３−Ｍ（Ｍは２以上の整数）が含まれている例を説明するが、伝送路３０３の本数は複数であれば特に限定されない。なお、送信器１０Ａは、「送信制御装置」として機能し得る。また、受信器２０は、「信号合成装置」として機能し得る。
【００２４】
（１−１．送信器の構成）
続いて、送信器１０Ａの構成について説明する。図１に示すように、送信器１０Ａは、生成部１０１、分割部１０２、フレーム送信部１０３−１〜１０３−Ｍ、伝送路決定部１０５Ａ、送信制御部１０８および情報送信部１０９を備える。また、伝送路決定部１０５Ａは、累積時間比較部１０６を有している。なお、フレーム送信部１０３−１〜１０３−Ｍの詳細な構成については、後に図２を参照しながら説明する。
【００２５】
生成部１０１は、受信器２０への送信対象のデータ（以下、「送信データ」とも言う。）を生成する。例えば、生成部１０１は、ユーザによる所定の開始操作に基づいて送信データを決定し、決定した送信データを生成する。ここで、送信データの種類は特に限定されない。例えば、送信データは映像信号を含んでもよいし、送信データは音声データを含んでもよいし、他の種類のデータを含んでもよい。なお、図１に示した例では、生成部１０１が送信器１０Ａに組み込まれているが、生成部１０１は送信器１０Ａの外部に存在し、送信器１０Ａと有線または無線を介して接続されていてもよい。
【００２６】
分割部１０２は、送信データの伝送レートと伝送路３０３−１〜３０３−Ｍの一本あたりの伝送容量とに基づいて、送信データの伝送に利用する伝送路（以下、「送信伝送路」とも言う。）の本数を算出する。より具体的には、分割部１０２は、送信データの伝送レートを伝送路３０３−１〜３０３−Ｍの一本あたりの伝送容量によって除することによって除算結果を得る。そして、分割部１０２は、除算結果が超えない整数（例えば、最小の整数）を送信伝送路の本数として算出する。送信伝送路の本数の算出は、送信データが決定された場合になされてもよいし、所定時間ごとになされてもよい。
【００２７】
また、分割部１０２は、送信伝送路の本数に基づいて、送信データから１または複数の伝送対象信号を得る。例えば、分割部１０２は、送信伝送路の本数が１つである場合には、送信データをそのまま伝送対象信号として得る。一方、分割部１０２は、送信伝送路の本数が複数である場合には、送信データを送信伝送路の本数に相当する数に分割することによって複数の伝送対象信号を得る。このとき、分割部１０２によって送信データがどのように分割されるかは特に限定されない。
【００２８】
伝送路決定部１０５Ａは、送信伝送路の本数と所定の情報とに基づいて、伝送路３０３−１〜３０３−Ｍから送信伝送路を決定する。伝送路決定部１０５Ａによって送信伝送路が決定されるタイミングは特に限定されない。第１の実施形態においては、伝送路決定部１０５Ａは、ユーザによる開始操作に基づいて送信データが決定された場合に、伝送路３０３−１〜３０３−Ｍから送信伝送路を決定する場合を主に想定する。しかし、伝送路決定部１０５Ａは、送信伝送路の本数が変化した場合に、伝送路３０３−１〜３０３−Ｍから送信伝送路を決定してもよい。
【００２９】
送信伝送路を決定する手法も特に限定されない。上記したように、一般的に信号発振器はデータ送信に要した累積時間が長くなればなるほど経年劣化を生じやすくなる。そこで、第１の実施形態においては、伝送路決定部１０５Ａは、送信伝送路の本数と伝送路３０３−１〜３０３−Ｍそれぞれに接続されたＬＤ（レーザダイオード）１０３６（図２参照）がデータ送信に要した累積時間とに基づいて、伝送路３０３−１〜３０３−Ｍから送信伝送路を決定する。
【００３０】
より詳細には、累積時間比較部１０６は、伝送路３０３−１〜３０３−ＭからＬＤ１０３６のデータ送信に要した累積時間が短い順に送信伝送路の本数だけ１または複数の伝送路を選択し、伝送路決定部１０５Ａは、選択された１または複数の伝送路を１または複数の送信伝送路として決定すればよい。データ送信に要した累積時間が同一のＬＤ１０３６が存在した場合には、伝送路決定部１０５Ａは、所定の規則に従って（例えば、割り当てられている識別情報のより小さい伝送路を優先的に）、送信伝送路として決定すればよい。
【００３１】
また、ＬＤ１０３６のデータ送信に要した累積時間の管理はどのようになされてもよい。例えば、ＬＤ１０３６のデータ送信に要した累積時間の管理はＬＤ１０３６（図２参照）ごとに存在する累積時間カウンタ１０３７（図２参照）とメモリ１０４１（図２参照）とによって行われる。メモリ１０４１は、ＬＤ１０３６ごとに累積時間を記憶している。また、累積時間カウンタ１０３７は、ＬＤ１０３６ごとにデータ送信に要した累積時間を測定し、ＬＤ１０３６ごとにメモリ１０４１に累積時間を記録する。
【００３２】
メモリ１０４１によって記憶されている累積時間は、出力端子１０３８（図２参照）を介して累積時間比較部１０６に入力される。なお、累積時間のカウントを開始するタイミングは、送信器１０の製造時からであるのが望ましいが、特に限定されない。また、送信器１０の電源がオフになっても累積時間はメモリ１０４１から消えないようにするのが望ましいため、メモリ１０４１は、不揮発性メモリであるのがよい。
【００３３】
分割部１０２は、上記のようにして得た１または複数の伝送対象信号それぞれを異なる送信伝送路に繋がるレーンに対して出力する。例えば、分割部１０２によって送信データから２つの伝送対象信号が得られ、伝送路決定部１０５Ａによって送信伝送路として伝送路３０３−１と伝送路３０３−２とが決定された場合、分割部１０２は、１つ目の伝送対象信号を伝送路３０３−１に繋がるレーンに対して出力し、２つ目の伝送対象信号を伝送路３０３−２に繋がるレーンに対して出力すればよい。
【００３４】
フレーム送信部１０３−１〜１０３−Ｍは、分割部１０２によって伝送対象信号が出力されたレーンに存在していれば、伝送対象信号の入力を受ける。例えば、分割部１０２から１つ目の伝送対象信号が伝送路３０３−１に繋がるレーンに対して出力された場合、フレーム送信部１０３−１には、伝送対象信号が入力される。また、例えば、分割部１０２から２つ目の伝送対象信号が伝送路３０３−２に繋がるレーンに対して出力された場合、フレーム送信部１０３−２には、伝送対象信号が入力される。
【００３５】
図２は、フレーム送信部１０３の詳細構成の一例を示す図である。図２に示すように、フレーム送信部１０３は、フレーム生成部１０３２、符号化器１０３３、Ｐ／Ｓ（パラレルシリアル変換部）１０３４、ＬＤＤ（レーザダイオードドライバ）１０３５、ＬＤ１０３６、累積時間カウンタ１０３７およびメモリ１０４１を備える。累積時間カウンタ１０３７およびメモリ１０４１それぞれの機能については、既に説明した通りである。ここでは、フレーム生成部１０３２、符号化器１０３３、Ｐ／Ｓ１０３４、ＬＤＤ１０３５およびＬＤ１０３６それぞれの機能について説明する。
【００３６】
フレーム生成部１０３２は、入力端子１０３１から伝送対象信号が入力されると、伝送対象信号を含むフレームを生成する。図３は、フレーム生成部１０３２によって生成されるフレームの構成例を示す図である。図３には、Ｎ番目のフレームの全体が第Ｎ（Ｎは０以上の整数）フレームとして示され、Ｎ＋１番目のフレームの一部が第Ｎ＋１フレームとして示されている。フレーム生成部１０３２は、伝送対象信号の最初のライン（送信データにおける第０ライン）、伝送対象信号の２番目のライン（送信データにおける第１ライン）およびそれらに続くラインを順に含んだフレームを生成する。
【００３７】
図３に示すように、フレーム生成部１０３２は、フレームの先頭にフレーム開始識別子（ＳＹＮＣ）を付する。フレーム開始識別子には、少なくとも映像信号には存在しない所定のコード（以下、「特殊データ」とも言う。）のいずれか一つが割り当てられている。例えば、特殊データは、当該レーンに繋がる伝送路３０３を送受信されるデータの符号化に依存する。例えば、伝送路３０３を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００３８】
符号化器１０３３は、フレームに対して符号化を行う。具体的には、符号化器１０３３は、フレームに対して８ｂ／１０ｂ符号化を行う。このとき、符号化器１０３３は、フレームのうち、フレーム開始識別子を対応する特殊データに置換し、フレーム開始識別子以外のデータを１０ビット単位のデータに置換してもよい。また、Ｐ／Ｓ１０３４は、符号化されたフレームを高速伝送に適した形式にすべくパラレルデータからシリアルデータに変換する。ＬＤＤ１０３５は、ＬＤ１０３６を駆動する。
【００３９】
ＬＤ１０３６は、ＬＤＤ１０３５から出力されたフレームを出力端子１０４０から出力することによって、伝送路３０３を介して、受信器２０に送信する。なお、本実施形態においては、伝送路３０３が光ファイバによって構成され、ＬＤ１０３５がフレームを光信号に変換してから光信号を受信器２０に送信する場合を想定するが、送信器１０Ａから受信器２０に送信される信号の種類は限定されない。例えば、送信器１０Ａは電気信号によりフレームを受信器２０に送信してもよい。したがって、ＬＤ１０３６ばかりではなく、伝送対象信号を送信する「送信部」が用いられ得る。
【００４０】
また、送信制御部１０８は、累積時間カウンタ１０３７を起動する。送信制御部１０８によって起動された累積時間カウンタ１０３７は、ＬＤ１０３６によるフレーム出力とともに、送信伝送路に接続されたＬＤ１０３６の累積時間を時間経過に従ってカウントアップする動作を開始する。
【００４１】
送信制御部１０８は、伝送路決定部１０５Ａによって決定された送信伝送路を介して伝送対象信号が送信されるように、送信伝送路に接続されたＬＤ１０３６を制御する。例えば、伝送路決定部１０５Ａによって送信伝送路として伝送路３０３−１と伝送路３０３−２とが決定された場合、送信制御部１０８は、１つ目の伝送対象信号が伝送路３０３−１に繋がるＬＤ１０３６によって送信されるように当該ＬＤ１０３６を制御し、２つ目の伝送対象信号が伝送路３０３−２に繋がるＬＤ１０３６によって送信されるように当該ＬＤ１０３６を制御する。
【００４２】
また、送信制御部１０８は、伝送路３０３−１〜３０３−Ｍのうち伝送路決定部１０５Ａによって決定された送信伝送路に接続されたＬＤ１０３６を起動し、送信伝送路とは異なる伝送路３０３に接続されたＬＤ１０３６を停止したままにするとよい。そうすれば、フレームの送信に使用されないＬＤ１０３６による送信動作が停止されるため、送信器１０Ａの消費電力を低減することが可能となる。このとき、ＬＤ１０３６によるフレーム出力とともに、累積時間カウンタ１０３７は、累積時間を時間経過に伴ってカウントアップする動作を開始する。
【００４３】
その後、最後のフレームが送信し終わる場合、または、ユーザによる所定の終了操作に基づいて送信を終了させる送信データが決定される場合が想定される。かかる場合、送信制御部１０８は、送信伝送路に接続されたＬＤ１０３６を停止させるとともに、累積時間カウンタ１０３７は、送信伝送路に接続されたＬＤ１０３６の累積時間を時間経過に従ってカウントアップする動作を終了して、メモリ１０４１に当該累積時間を記録する。累積時間カウンタ１０３７は、送信制御部１０８によって停止される。
【００４４】
情報送信部１０９は、伝送路決定部１０５Ａによって決定された送信伝送路の識別情報を受信器２０に対して伝送路４０を介して送信する。識別情報の送信は、送信伝送路が決定された場合になされればよい。なお、第１の実施形態においては、伝送路４０が光ファイバによって構成され、情報送信部１０９がフレームを光信号に変換してから光信号を受信器２０に送信する場合を想定するが、識別情報の種類は限定されない。例えば、情報送信部１０９は電気信号により識別情報を受信器２０に送信してもよい。
【００４５】
（１−２．受信器の構成）
続いて、受信器２０の構成について説明する。受信器２０は、表示部２０１、合成部２０２、フレーム受信部２０３、受信制御部２０７および情報受信部２０９を備える。情報受信部２０９は、送信器１０から光信号によって送信された送信伝送路の識別情報を受光して電気信号に変換する。なお、第１の実施形態においては、情報受信部２０９が光ファイバによって構成され、情報受信部２０９がフレームを受光して電気信号に変換する場合を想定するが、上記したように、識別情報の種類は限定されない。例えば、情報受信部２０９は、電気信号により送信伝送路の識別情報を送信器１０から受信してもよい。
【００４６】
図４は、フレーム受信部２０３の詳細構成の一例を示す図である。図４に示したように、受信器２０は、ＰＤ（フォトディテクタ）２０３６、増幅器２０３５、Ｓ／Ｐ（シリアルパラレル変換部）１０３４、復号器２０３３および信号取得部２０３２を備える。ＰＤ２０３６は、送信器１０から送信されたフレームを入力端子２０３７を介して受信する。
【００４７】
ＰＤ２０３６は、送信器１０Ａから光信号によって送信されたフレームを受光して電気信号に変換する。なお、第１の実施形態においては、伝送路３０３が光ファイバによって構成され、ＰＤ２０３６がフレームを受光して電気信号に変換する場合を想定するが、上記したように、送信器１０Ａから受信器２０に送信される信号の種類は限定されない。例えば、受信器２０は電気信号によりフレームを送信器１０Ａから受信してもよい。
【００４８】
受信制御部２０７は、伝送路３０３−１〜３０３−Ｍのうち、情報受信部２０９によって受信された識別情報によって識別される送信伝送路に接続されたＰＤ２０３６による受信動作を、入力端子２０３９を介して停止させるのがよい。例えば、情報受信部２０９によって送信伝送路の識別情報として伝送路３０３−１の識別情報と伝送路３０３−２の識別情報とが受信された場合、受信制御部２０７は、ＬＤ３０３−１〜３０３−２による受信動作を停止させるとよい。そうすれば、フレームの受信に使用されないＰＤ２０３６による送信動作が停止されるため、送信器１０Ａの消費電力を低減することが可能となる
【００４９】
増幅器２０３５は、ＰＤ２０３６から出力された電気信号としてのフレームを増幅し、増幅したフレームをＳ／Ｐ２０３４に出力する。例えば、増幅器２０３５は、電流信号に対してインピーダンス変換を行うことによって電圧信号を得た後、電圧信号に対して振幅増幅を行ってよい。Ｓ／Ｐ２０３４は、フレームの形式をシリアルデータからパラレルデータに変換する。
【００５０】
復号器２０３３は、パラレルデータに変換されたフレームを復号する。具体的には、復号器２０３３は、フレームに対して８ｂ／１０ｂ復号を行ってもよい。例えば、復号器２０３３は、このフレームのうち、フレーム開始識別子に対応する１０ビットの特殊データを、フレーム開始識別子に置換してもよい。一方、復号器２０３３は、フレームのうち、残りのデータも８ビットデータに置換してもよい。
【００５１】
信号取得部２０３２は、入力されたフレームから伝送対象信号を取得し、取得した伝送対象信号を、出力端子２０３１を介して合成部２０２に出力する。より詳細には、特殊コードから置換されたフレーム開始識別子は、フレームの先頭に付されているため、信号取得部２０３２は、フレーム開始識別子を検出し、フレーム開始識別子の位置をフレームの先頭の位置として検出する。信号取得部２０３２は、検出したフレーム開始識別子の位置に基づいて伝送対象信号を取得する。
【００５２】
合成部２０２は、情報受信部２０９によって受信された１または複数の識別情報それぞれによって識別される送信伝送路から入力された伝送対象信号に基づいて送信データを復元する。例えば、合成部２０２は、フレーム受信部２０３−１から伝送対象信号が入力され、フレーム受信部２０３−２〜２０３−Ｍからは伝送対象信号が入力されない場合には、フレーム受信部２０３−１から入力された１つの伝送対象信号をそのまま送信データとする。また、合成部２０２は、フレーム受信部２０３−１およびフレーム受信部２０３−２それぞれから伝送対象信号が入力された場合、これらの伝送対象信号を合成することによって送信データを復元する。
【００５３】
表示部２０１は、入力された送信データを再生し、再生した送信データを表示する。表示部２０１は、例えば、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ、プロジェクタなどの表示装置、ホログラムの表示装置なでであり得る。また、送信データが音声データを含む場合、表示部２０１は、スピーカおよびヘッドホンなどの音声出力装置などを含んでよい。
【００５４】
以下、具体的な例を挙げながら説明する。ここでは、伝送路３０１の本数が５本であるとする。また、送信器１０Ａおよび受信器２０それぞれによる伝送レートを、１２．５Ｇｂｐｓとし、フレームに対して８ｂ／１０ｂ符号化がなされるとすると、送信器１０Ａおよび受信器２０それぞれによる映像信号の伝送レートは１０Ｇｂｐｓである。送信器１０Ａから受信器２０に映像信号Ｇ１（図５）および映像信号Ｇ２（図６）を送信することを想定する。
【００５５】
図５は、１つ目の映像信号Ｇ１の例を示す図である。図５を参照すると、映像信号Ｇ１の水平方向画素数はｎであり、映像信号Ｇ１の垂直方向ライン数はｍである。映像信号Ｇ１の伝送レートが１０Ｇｂｐｓであると仮定すると、映像信号Ｇ１は１本の伝送路３０１によって送られ得る。
【００５６】
図６は、２つ目の映像信号Ｇ２の例を示す図である。図７は、映像信号Ｇ２が４つに分割された得られた分割信号Ｇ２１〜Ｇ２４の例を示す図である。図６を参照すると、映像信号Ｇ２の水平方向画素数は２×ｎであり、映像信号Ｇ２の垂直方向ライン数は２×ｍである。映像信号Ｇ２の伝送レートが４０Ｇｂｐｓであると仮定すると、映像信号Ｇ２から分割された分割信号Ｇ２１〜Ｇ２４は、５本の伝送路３０１のうちの４本の伝送路によって別々に送られ得る。
【００５７】
図８は、レーザ（ＬＤ）ごとの累積発光時間の変化例を示す図である。図８を参照すると、動作回数と、送信データと、伝送路本数と、伝送時間と、レーザごとの累積発光時間とが対応付けられている。ここでは、５つのレーザ（ＬＤ）が用いられることとする。また、図８に示すように、５つのレーザ（ＬＤ）それぞれには、伝送路の識別情報として、レーザ番号１〜５が付与されていることとする。
【００５８】
まず、動作回数Ｐ番目において決定された送信データは映像信号Ｇ２である。上記したように、映像信号Ｇ２を送信するために必要な伝送路本数は４本である。そこで、伝送路決定部１０５Ａは、動作回数（Ｐ−１）番目の累積発光時間が短い順に４つのレーザ番号１〜４を選択する。
【００５９】
図８に示したように、動作回数Ｐ番目における伝送時間が２時間であったとすると、累積時間カウンタ１０３７は、動作回数（Ｐ−１）番目におけるレーザ番号１〜４の累積発光時間に２時間を加算することによって、動作回数Ｐ番目におけるレーザ番号１〜４の累積発光時間を得る。一方、図８に示したように、累積時間カウンタ１０３７は、動作回数Ｐ番目におけるレーザ番号５の累積発光時間として動作回数（Ｐ−１）番目におけるレーザ番号５の累積発光時間をそのまま利用する。
【００６０】
続いて、動作回数（Ｐ＋１）番目において決定された送信データは映像信号Ｇ１である。上記したように、映像信号Ｇ１を送信するために必要な伝送路本数は１本である。そこで、伝送路決定部１０５Ａは、動作回数Ｐ番目の累積発光時間が最も短いレーザ番号１を選択する。
【００６１】
図８に示したように、動作回数（Ｐ＋１）番目における伝送時間が３時間であったとすると、累積時間カウンタ１０３７は、動作回数Ｐ番目におけるレーザ番号１の累積発光時間に３時間を加算することによって、動作回数（Ｐ＋１）番目におけるレーザ番号１の累積発光時間を得る。一方、図８に示したように、累積時間カウンタ１０３７は、動作回数（Ｐ＋１）番目におけるレーザ番号１〜４の累積発光時間として動作回数Ｐ番目におけるレーザ番号１〜４の累積発光時間をそのまま利用する。
【００６２】
続いて、動作回数（Ｐ＋２）番目において決定された送信データは映像信号Ｇ１である。上記したように、映像信号Ｇ１を送信するために必要な伝送路本数は１本である。そこで、伝送路決定部１０５Ａは、動作回数（Ｐ＋１）番目の累積発光時間が最も短いレーザ番号２，３，５を選択する。そして、例えば、伝送路決定部１０５Ａは、レーザ番号２，３，５の中から番号の最も小さいレーザ番号２を選択する。
【００６３】
図８に示したように、動作回数（Ｐ＋２）番目における伝送時間が１時間であったとすると、累積時間カウンタ１０３７は、動作回数（Ｐ＋１）番目におけるレーザ番号２の累積発光時間に１時間を加算することによって、動作回数（Ｐ＋２）番目におけるレーザ番号２の累積発光時間を得る。一方、図８に示したように、累積時間カウンタ１０３７は、動作回数（Ｐ＋２）番目におけるレーザ番号１，３〜５の累積発光時間として動作回数（Ｐ＋２）番目におけるレーザ番号１，３〜５の累積発光時間をそのまま利用する。
【００６４】
図８を参照しながら説明した動作が繰り返されることによって、レーザ番号１〜５がそれぞれ付与されたレーザにおける稼働時間が平均化されることになる。したがって、図８を参照しながら説明した動作が繰り返されることによって、特定のレーザが集中的に使用されることによる経年劣化が抑制されるようになる。
【００６５】
続いて、送信器１０Ａの動作例を説明する。図９は、送信器１０Ａの動作例を示すフローチャートである。図９に示すように、送信器１０Ａにおいて、送信データが決定されると（Ｓ１）、分割部１０２は、送信データの伝送に必要な伝送路の本数を決定する（Ｓ２）。続いて、伝送路決定部１０５Ａは、それぞれのＬＤ１０３６の累積発光時間に基づいて送信データの伝送に使用する伝送路を決定する（Ｓ３）。情報送信部１０９は、送信データの伝送に使用する伝送路を情報受信部２０９に通知する（Ｓ４）。
【００６６】
続いて、送信制御部１０８は、送信データの伝送に使用する送信部（ＬＤ１０３６）をＯＮし（Ｓ５）、ＬＤ１０３６による送信データの伝送を開始する（Ｓ６）。このとき、累積時間カウンタ１０３７が起動され、ＬＤ１０３６の累積発光時間のカウントアップが開始される。送信制御部１０８は、ＬＤ１０３６による送信データの伝送を停止すると（Ｓ７）、送信データの伝送に使用した送信部（ＬＤ１０３６）をＯＦＦする（Ｓ８）。また、ＬＤ１０３６による送信データの伝送停止とともに、累積時間カウンタ１０３７も停止される。かかる動作が繰り返し実行される。ＬＤ１０３６の稼働時間が平均化され、特定のＬＤ１０３６が集中的に使用されることによる経年劣化が抑制される。
【００６７】
（２．第２の実施形態）
続いて、第２の実施形態について説明する。図１０を参照しながら、第２の実施形態に係る画像伝送システムの構成例について説明する。図１０は、第２の実施形態に係る画像伝送システムの構成の一例を示す図である。図１０に示すように、画像伝送システム１Ｂは、送信器１０Ｂと受信器２０とを有する。第２の実施形態に係る送信器１０Ｂは、第１の実施形態に係る送信器１０Ａと、伝送路決定部１０５Ａではなく伝送路決定部１０５Ｂを有する点が異なっている。なお、送信器１０Ｂも、「送信制御装置」として機能し得る。
（２−１．送信器の構成）
続いて、送信器１０Ｂの構成について説明する。図１０に示すように、第２の実施形態に係る伝送路決定部１０５Ｂは、乱数生成部１０７を有している。乱数生成部１０７は、乱数を発生する。例えば、伝送路３０３−１〜３０３−Ｍに対して、番号１〜Ｍが付されている場合、乱数生成部１０７は、番号１〜Ｍの間において、送信伝送路の本数分だけ乱数を発生させる。そして、伝送路決定部１０５Ｂは、送信伝送路の本数分だけ発生された乱数に基づいて、伝送路３０３−１〜３０３−Ｍから送信伝送路を決定する。
【００６８】
具体的には、伝送路決定部１０５Ｂは、送信伝送路の本数分だけ発生された乱数にそれぞれ一致する番号が付された伝送路３０３を送信伝送路として決定する。第２の実施形態においては、かかる動作が繰り返し実行されることによって、第１の実施形態と同様に、ＬＤ１０３６の稼働時間が平均化され、特定のＬＤ１０３６が集中的に使用されることによる経年劣化が抑制される。
【００６９】
続いて、送信器１０Ｂの動作例を説明する。図１１は、送信器１０Ｂの動作例を示すフローチャートである。図１０に示すように、送信データが決定されると（Ｓ１）、分割部１０２は、送信データの伝送に必要な伝送路の本数を決定する（Ｓ２）。続いて、伝送路決定部１０５Ｂは、決定された本数分に相当する乱数に基づいて、送信データの伝送に使用する伝送路を決定する（Ｓ９）。情報送信部１０９は、送信データの伝送に使用する伝送路を情報受信部２０９に通知する（Ｓ４）。
【００７０】
続いて、送信制御部１０８は、送信データの伝送に使用する送信部（ＬＤ１０３６）をＯＮし（Ｓ５）、ＬＤ１０３６による送信データの伝送を開始する（Ｓ６）。送信制御部１０８は、ＬＤ１０３６による送信データの伝送を停止すると（Ｓ７）、送信データの伝送に使用した送信部（ＬＤ１０３６）をＯＦＦする（Ｓ８）。かかる動作が繰り返し実行される。ＬＤ１０３６の稼働時間が平均化され、特定のＬＤ１０３６が集中的に使用されることによる経年劣化が抑制される。
【００７１】
（３．むすび）
以上説明したように、本開示の実施形態によれば、送信データから得られる１または複数の伝送対象信号をそれぞれ伝送する送信伝送路の本数と所定の情報とに基づいて、それぞれが異なるＬＤ１０３６に接続された複数の伝送路３０３−１〜３０３−Ｍから送信伝送路を決定する伝送路決定部１０５と、伝送対象信号が送信伝送路を介して送信されるように送信伝送路に接続されたＬＤ１０３６を制御する送信制御部１０８と、を備える、送信制御装置１０Ａが提供される。
【００７２】
かかる構成によれば、使用される伝送路の本数が変化する場合にも、特定の信号発振器が集中的に使用されることによる経年劣化を抑制することが可能となる。
【００７３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００７４】
例えば、上記においては、送信制御部１０８がＬＤ１０３６を起動させたり、ＬＤ１０３６を停止させたりする例を説明した。しかし、送信制御部１０８は、フレーム送信部１０３の全体を起動させたり、フレーム送信部１０３の全体を停止させたりすることも可能である。そうすれば、消費電力をさらに低減することが可能となる。同様に、上記においては、受信制御部２０７がＰＤ２０３６を起動させたり、ＬＤ２０３６を停止させたりする例を説明した。しかし、受信制御部２０７は、フレーム受信部２０３の全体を起動させたり、フレーム受信部２０３の全体を停止させたりすることも可能である。
【００７５】
例えば、上記においては、フレーム生成部１０３２、符号化器１０３３、Ｐ／Ｓ１０３４、累積時間カウンタ１０３７およびメモリ１０４１が、伝送路３０３−１〜３０３−Ｍそれぞれに接続されたＬＤ１０３６のすべてに対して個別に設けられているが、フレーム生成部１０３２、符号化器１０３３、Ｐ／Ｓ１０３４、累積時間カウンタ１０３７およびメモリ１０４１の一部または全部は、これらのＬＤ１０３６それぞれに対して共通化されていてもよい。
【００７６】
同様に、上記においては、信号取得部２０３２、復号器２０３３およびＳ／Ｐ２０３４が、伝送路３０３−１〜３０３−Ｍそれぞれに接続されたＰＤ２０３６のすべてに対して個別に設けられているが、信号取得部２０３２、復号器２０３３およびＳ／Ｐ２０３４の一部または全部は、これらのＰＤ２０３６それぞれに対して共通化されていてもよい。
【００７７】
また、例えば、生成部１０１、分割部１０２、伝送路決定部１０５Ａ（１０５Ｂ）、送信制御部１０８、フレーム生成部１０３２、符号化器１０３３、ＬＤＤ１０３５、累積時間カウンタ１０３７およびメモリ１０４１は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、合成部２０２、受信制御部２０７、信号取得部２０３２、復号器２０３３、Ｓ／Ｐ２０３４および増幅器２０３５は、別個のＩＣに実装されてもよいし、いずれかの組み合わせが同一のＩＣに実装されてもよい。
【００７８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００７９】
なお、以下のような構成も本開示の技術的範囲に属する。
（１）
送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、
前記伝送対象信号が前記送信伝送路を介して送信されるように前記送信伝送路に接続された前記送信部を制御する送信制御部と、
を備える、送信制御装置。
（２）
前記送信制御部は、前記複数の伝送路のうち前記送信伝送路に接続された前記送信部を起動し、前記送信伝送路とは異なる伝送路に接続された前記送信部を停止したままにする、
前記（１）に記載の送信制御装置。
（３）
前記送信制御装置は、
前記伝送対象信号それぞれを別個に含む１または複数のフレームを生成するフレーム生成部を備える、
前記（１）または（２）に記載の送信制御装置。
（４）
前記送信制御装置は、
前記送信伝送路の本数に基づいて、前記送信データから前記１または複数の伝送対象信号を得る分割部を備える、
前記（１）〜（３）のいずれか一項に記載の送信制御装置。
（５）
前記分割部は、前記伝送対象信号それぞれを異なる前記送信伝送路に繋がるレーンに対して出力する、
前記（４）に記載の送信制御装置。
（６）
前記分割部は、前記送信データの伝送レートと前記複数の伝送路の一本あたりの伝送容量とに基づいて、前記送信伝送路の本数を算出する、
前記（４）または（５）に記載の送信制御装置。
（７）
前記伝送路決定部は、前記送信データが送信対象として決定された場合に、前記複数の伝送路から前記送信伝送路を決定する、
前記（１）〜（６）のいずれか一項に記載の送信制御装置。
（８）
前記伝送路決定部は、前記送信伝送路の本数が変化した場合に、前記複数の伝送路から前記送信伝送路を決定する、
前記（１）〜（６）のいずれか一項に記載の送信制御装置。
（９）
前記送信制御装置は、
前記伝送対象信号の受信器に対して前記送信伝送路の識別情報を送信する情報送信部を備える、
前記（１）に記載の送信制御装置。
（１０）
前記伝送路決定部は、前記送信伝送路の本数と前記複数の伝送路それぞれに接続された前記送信部がデータ送信に要した累積時間とに基づいて、前記複数の伝送路から前記送信伝送路を決定する、
前記（１）〜（９）のいずれか一項に記載の送信制御装置。
（１１）
前記伝送路決定部は、前記複数の伝送路から前記送信部の前記累積時間が短い順に前記送信伝送路の本数だけ選択された１または複数の伝送路を前記送信伝送路として決定する、
前記（１０）に記載の送信制御装置。
（１２）
前記送信制御装置は、
前記累積時間を前記送信部ごとに記憶するメモリを備える、
前記（１０）または（１１）に記載の送信制御装置。
（１３）
前記送信制御装置は、
前記累積時間を測定して前記メモリに前記累積時間を記録する累積時間カウンタを備える、
前記（１２）に記載の送信制御装置。
（１４）
前記伝送路決定部は、前記送信伝送路の本数分だけ発生された乱数に基づいて、前記複数の伝送路から前記送信伝送路を決定する、
前記（１）〜（９）のいずれか一項に記載の送信制御装置。
（１５）
送信データから得られる１または複数の伝送対象信号をそれぞれ伝送する送信伝送路の本数と所定の情報とに基づいて、それぞれが異なる送信部に接続された複数の伝送路から前記送信伝送路を決定することと、
前記伝送対象信号が前記送信伝送路を介して送信されるように前記送信伝送路に接続された前記送信部を制御することと、
を含む、送信制御方法。
（１６）
送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得する信号取得部と、
前記伝送対象信号に基づいて前記送信データを復元する合成部と、
を備える、信号合成装置。
（１７）
前記信号合成装置は、
前記伝送対象信号の送信器から前記送信伝送路の識別情報を受信する情報受信部と、
前記複数の伝送路のうち前記識別情報によって識別される前記送信伝送路に接続された受信部を起動し、前記送信伝送路とは異なる伝送路に接続された受信部を停止したままにする受信制御部と、
を備える、前記（１６）に記載の信号合成装置。
（１８）
送信データから得られる１または複数の伝送対象信号をそれぞれ伝送する送信伝送路の本数と所定の情報とに基づいて、それぞれが異なる送信部に接続された複数の伝送路から決定された前記送信伝送路を介して送信された前記伝送対象信号が受信されると、前記伝送対象信号を取得することと、
前記伝送対象信号を合成することにより前記送信データを復元することと、
を含む、信号合成方法。
（１９）
送信データから得られる１または複数の伝送対象信号をそれぞれ伝送する送信伝送路の本数と所定の情報とに基づいて、それぞれが異なる送信部に接続された複数の伝送路から前記送信伝送路を決定する伝送路決定部と、
前記伝送対象信号が前記送信伝送路を介して送信されるように前記送信伝送路に接続された前記送信部を制御する送信制御部と、
を備える、送信制御装置と、
前記伝送対象信号が受信されると、前記伝送対象信号を取得する信号取得部と、
前記伝送対象信号を合成することにより前記送信データを復元する合成部と、
を備える、信号合成装置と、
を有する、信号伝送システム。
（２０）
送信データから得られる１または複数の伝送対象信号をそれぞれ伝送する送信伝送路の本数と所定の情報とに基づいて、それぞれが異なる送信部に接続された複数の伝送路から前記送信伝送路を決定することと、
前記伝送対象信号が前記送信伝送路を介して送信されるように前記送信伝送路に接続された前記送信部を制御することと、
前記伝送対象信号が受信されると、前記伝送対象信号を取得することと、
前記伝送対象信号を合成することにより前記送信データを復元することと、
を含む、信号伝送方法。
【符号の説明】
【００８０】
１Ａ，１Ｂ  画像伝送システム
１０Ａ，１０Ｂ  送信器（送信制御装置）
１０１  生成部
１０２  分割部
１０３  フレーム送信部
１０５Ａ，１０５Ｂ  伝送路決定部
１０６  累積時間比較部
１０７  乱数生成部
１０８  送信制御部
１０９  情報送信部
１０３２  フレーム生成部
１０３３  符号化器
１０３７  累積時間カウンタ
１０４１  メモリ
１０３５  ＬＤＤ
２０    受信器
２０１  表示部
２０２  合成部
２０３  フレーム受信部
２０７  受信制御部
２０９  情報受信部
２０３２  信号取得部
２０３３  復号器
２０３５  増幅器
３０    ケーブル
３０３  伝送路
４０    伝送路
【図１】
2017094315.tif 000003
【図２】
2017094315.tif 000004
【図３】
2017094315.tif 000005
【図４】
2017094315.tif 000006
【図５】
2017094315.tif 000007
【図６】
2017094315.tif 000008
【図７】
2017094315.tif 000009
【図８】
2017094315.tif 000010
【図９】
2017094315.tif 000011
【図１０】
2017094315.tif 000012
【図１１】
2017094315.tif 000013
【国際調査報告】
2017094315.tif 000014
2017094315.tif 000015
2017094315.tif 000016
2017094315.tif 000017